(57)【要約】【課題】従来の画像読取装置においては、装置の大型化を抑制する観点においてメインボードの配置に工夫の余地があった。【解決手段】  画像読取装置は、原稿が搬送される原稿搬送経路と、前記原稿搬送経路に設けられた、原稿を給送する給送ローラーと、前記原稿搬送経路において前記給送ローラーの下流に設けられた、原稿を読み取る読み取り手段と、を備え、電子部品が搭載されたメインボードが、原稿搬送方向と交差する方向である幅方向から視て、前記原稿搬送経路と、前記原稿搬送経路に平行な直線であって前記原稿搬送経路から離間した位置で前記給送ローラーに接する給送ローラー接線と、の間の領域内に配置されていることを特徴とする。また、前記メインボードは、前記原稿搬送経路に沿った姿勢で設けることもできる。ことを特徴とする【選択図】図８
2020191612.tif 000002
【特許請求の範囲】
【請求項１】
原稿が搬送される原稿搬送経路と、
前記原稿搬送経路に設けられた、原稿を給送する給送ローラーと、
前記原稿搬送経路において前記給送ローラーの下流に設けられた、原稿を読み取る読み取り手段と、を備え、
電子部品が搭載されたメインボードが、原稿搬送方向と交差する方向である幅方向から視て、前記原稿搬送経路と、前記原稿搬送経路に平行な直線であって前記原稿搬送経路から離間した位置で前記給送ローラーに接する給送ローラー接線と、の間の領域内に配置されている、
ことを特徴とする画像読取装置。
【請求項２】
請求項１に記載の画像読取装置において、前記メインボードは、前記原稿搬送経路に沿った姿勢で設けられている、
ことを特徴とする画像読取装置。
【請求項３】
請求項１または請求項２に記載の画像読取装置において、前記給送ローラーの動力源である給送ローラー駆動モーターを備え、
前記幅方向から視て、前記給送ローラー接線が、前記給送ローラー駆動モーターと交差する、
ことを特徴とする画像読取装置。
【請求項４】
請求項３に記載の画像読取装置において、前記給送ローラーにより給送された原稿を前記読み取り手段と対向する位置に送る第１送りローラー対と、
前記原稿搬送経路において前記読み取り手段の下流に設けられた、原稿を前記原稿搬送経路の下流に送る第２送りローラー対と、
前記第１送りローラー対及び前記第２送りローラー対の動力源である送りローラー対駆動モーターと、を備え、
前記幅方向から視て、前記給送ローラー接線が、前記送りローラー対駆動モーターと交差する、
ことを特徴とする画像読取装置。
【請求項５】
請求項４に記載の画像読取装置において、前記メインボード及び前記電子部品が、前記幅方向から視て、前記原稿搬送経路に平行な直線であって前記送りローラー対駆動モーターと接する第１モーター接線と、前記原稿搬送経路に平行な直線であって前記第１モーター接線より前記原稿搬送経路から遠い位置で前記送りローラー対駆動モーターと接する第２モーター接線と、で挟まれた領域に収まっている、
ことを特徴とする画像読取装置。
【請求項６】
請求項５に記載の画像読取装置において、前記給送ローラー駆動モーターが、前記幅方向から視て前記第１モーター接線と、前記第２モーター接線と、で挟まれた領域に収まっている、
ことを特徴とする画像読取装置。
【請求項７】
請求項６に記載の画像読取装置において、前記読み取り手段と対向する位置に設けられ、前記読み取り手段と対面する対面状態と、前記読み取り手段との対面を解除する非対面状態と、を切り換え可能な背景板と、
前記背景板の状態切り換えの動力源である背景板駆動モーターと、を備え、
前記背景板駆動モーターが、前記幅方向から視て前記第１モーター接線と、前記第２モーター接線と、で挟まれた領域に収まっている、
ことを特徴とする画像読取装置。
【請求項８】
請求項１から請求項４のいずれか一項に記載の画像読取装置において、前記原稿搬送経路は、前記給送ローラー及び前記メインボードを備える第１ユニットと、
前記第１ユニットと対向配置される第２ユニットと、の間で形成され、
前記第１ユニットは、前記第１ユニットの下に位置する支持部に対し、前記幅方向から視て回転可能に支持され、
前記第１ユニットの外郭を構成する筐体は、前記支持部と対向する位置に、前記第１ユニットの回転軌跡に沿うアーチ部を備え、
前記メインボードが、前記アーチ部の内側に形成された空間に配置されている、
ことを特徴とする画像読取装置。
【請求項９】
請求項８に記載の画像読取装置において、前記メインボードは、前記原稿搬送経路と交差する方向に突出する電子部品のうち最も突出量の多い電子部品が、前記アーチ部と対向配置されている、
ことを特徴とする画像読取装置。
【請求項１０】
請求項１から請求項９のいずれか一項に記載の画像読取装置において、前記給送ローラーとの間で原稿をニップして分離を行う分離ローラーと、
前記分離ローラーの動力源である分離ローラー駆動モーターと、を備え、
前記幅方向から視て、前記原稿搬送経路に平行な直線であって前記原稿搬送経路から離間した位置で前記分離ローラーに接する分離ローラー接線が、前記分離ローラー駆動モーターに交差する、
ことを特徴とする画像読取装置。
【発明の詳細な説明】
【技術分野】
【０００１】
本発明は、原稿画像を読み取る画像読取装置に関する。
【背景技術】
【０００２】
以下、画像読取装置の一例であるスキャナーを例に説明する。スキャナーには、原稿を自動送りする原稿給送機構が設けられ、複数枚の原稿の自動送りと読み取りとを行える様に構成されたものがある。
【０００３】
原稿給送機構としては、複数枚の原稿を載置する原稿トレイと、原稿トレイにセットされた原稿に接触して回転することにより、原稿トレイから原稿を送り出す給送ローラーと、給送ローラーに接して原稿を分離する分離手段と、を備えて構成されるものがある。この様な原稿給送機構を備えた画像読取装置の一例が、特許文献１に開示されている。
【先行技術文献】
【特許文献】
【０００４】
【特許文献１】特開２０１９−０１２８７８号公報
【発明の概要】
【発明が解決しようとする課題】
【０００５】
画像読取装置には通常、電子部品が設けられたメインボードが設けられる。このメインボードは画像読取装置において占有面積が大きい部類に属するパーツであり、装置の大型化を招く要因となるが、特許文献１記載の画像読取装置をはじめとする従来の画像読取装置においては、装置の大型化を抑制する観点においてメインボードの配置に工夫の余地があった。
【課題を解決するための手段】
【０００６】
上記課題を解決する為の、本発明の画像読取装置は、原稿が搬送される原稿搬送経路と、前記原稿搬送経路に設けられ、原稿を給送する給送ローラーと、前記原稿搬送経路において前記給送ローラーの下流に設けられた、原稿を読み取る読み取り手段と、を備え、電子部品が搭載されたメインボードが、原稿搬送方向と交差する方向である幅方向から視て、前記原稿搬送経路と、前記原稿搬送経路に平行な直線であって前記原稿搬送経路から離間した位置で前記給送ローラーに接する給送ローラー接線と、の間の領域内に配置されていることを特徴とする。
【図面の簡単な説明】
【０００７】
【図１】前面カバー及び上面カバーを閉じたスキャナーを前面側から視た外観斜視図。
【図２】前面カバー及び上面カバーを開いたスキャナーを前面側から視た外観斜視図。
【図３】前面カバー及び上面カバーを閉じたスキャナーを前面側から視た外観斜視図。
【図４】前面カバー及び上面カバーを閉じたスキャナーを背面側から視た外観斜視図。
【図５】前面カバー及び上面カバーを開いたスキャナーの原稿搬送経路を幅方向から視た断面図。
【図６】送りローラー対駆動モーターから駆動ローラー軸へ駆動力を伝達する手段の斜視図。
【図７】メインボードと他の構成要素の斜視図。
【図８】メインボードと他の構成要素を幅方向から視た図
【発明を実施するための形態】
【０００８】
以下、本発明を概略的に説明する。  
第１の態様に係る画像読取装置は、原稿が搬送される原稿搬送経路と、前記原稿搬送経路に設けられた、原稿を給送する給送ローラーと、前記原稿搬送経路において前記給送ローラーの下流に設けられた、原稿を読み取る読み取り手段と、を備え、電子部品が搭載されたメインボードが、原稿搬送方向と交差する方向である幅方向から視て、前記原稿搬送経路と、前記原稿搬送経路に平行な直線であって前記原稿搬送経路から離間した位置で前記給送ローラーに接する給送ローラー接線と、の間の領域内に配置されていることを特徴とする。
【０００９】
本態様によれば、電子部品が搭載されたメインボードが、原稿搬送方向と交差する方向である幅方向から視て、前記原稿搬送経路と、前記原稿搬送経路に平行な直線であって前記原稿搬送経路から離間した位置で前記給送ローラーに接する給送ローラー接線と、の間の領域内に配置されているので、前記原稿搬送経路と交差する方向の装置寸法を抑制できる。
【００１０】
第２の態様は、第１の態様において、前記メインボードは、前記原稿搬送経路に沿った姿勢で設けられていることを特徴とする。  
本態様によれば、前記メインボードは、前記原稿搬送経路に沿った姿勢で設けられているので、前記原稿搬送経路と交差する方向の装置寸法をより一層効果的に抑制できる。
【００１１】
第３の態様は、第１のまたは第２の態様において、前記給送ローラーの動力源である給送ローラー駆動モーターを備え、前記幅方向から視て、前記給送ローラー接線が、前記給送ローラー駆動モーターと交差することを特徴とする。
【００１２】
本態様によれば、前記給送ローラーの動力源である給送ローラー駆動モーターを備え、前記幅方向から視て、前記給送ローラー接線が、前記給送ローラー駆動モーターと交差する構成であるので、前記給送ローラー駆動モーターを備えた構成において装置の大型化を抑制できる。
【００１３】
第４の態様は、第１から第３の態様のいずれかにおいて、前記給送ローラーにより給送された原稿を前記読み取り手段と対向する位置に送る第１送りローラー対と、前記原稿搬送経路において前記読み取り手段の下流に設けられた、原稿を前記原稿搬送経路の下流に送る第２送りローラー対と、前記第１送りローラー対及び前記第２送りローラー対の動力源である送りローラー対駆動モーターと、を備え、前記幅方向から視て、前記給送ローラー接線が、前記送りローラー対駆動モーターと交差することを特徴とする。
【００１４】
本態様によれば、前記幅方向から視て、前記給送ローラー接線が、前記送りローラー対駆動モーターと交差するので、前記送りローラー対駆動モーターを備えた構成において装置の大型化を抑制できる。
【００１５】
第５の態様は、第４の態様において、前記メインボード及び前記電子部品が、前記幅方向から視て、前記原稿搬送経路に平行な直線であって前記送りローラー対駆動モーターと接する第１モーター接線と、前記原稿搬送経路に平行な直線であって前記第１モーター接線より前記原稿搬送経路から遠い位置で前記送りローラー対駆動モーターと接する第２モーター接線と、で挟まれた領域に収まっていることを特徴とする。
【００１６】
本態様によれば、前記メインボード及び前記メインボードに搭載された電子部品が、前記幅方向から視て、前記第１モーター接線と前記第２モーター接線とで挟まれた領域に収まっているので、前記原稿搬送経路と交差する方向の装置寸法を抑制できる。
【００１７】
第６の態様は、第５の態様において、前記給送ローラー駆動モーターが、前記幅方向から視て前記第１モーター接線と、前記第２モーター接線と、で挟まれた領域に収まっていることを特徴とする。  
本態様によれば、前記給送ローラー駆動モーターが、前記幅方向から視て前記第１モーター接線と、前記第２モーター接線と、で挟まれた領域に収まっているので、前記原稿搬送経路と交差する方向の装置寸法を抑制できる。
【００１８】
第７の態様は、第６の態様において、前記読み取り手段と対向する位置に設けられ、前記読み取り手段と対面する対面状態と、前記読み取り手段との対面を解除する非対面状態と、を切り換え可能な背景板と、前記背景板の状態切り換えの動力源である背景板駆動モーターと、を備え、前記背景板駆動モーターが、前記幅方向から視て前記第１モーター接線と、前記第２モーター接線と、で挟まれた領域に収まっていることを特徴とする。  
本態様によれば、前記背景板駆動モーターが、前記第１モーター接線と、前記第２モーター接線と、で挟まれた領域に収まっているので、前記原稿搬送経路と交差する方向の装置寸法を抑制できる。
【００１９】
第８の態様は、第１から第４の態様のいずれかにおいて、前記原稿搬送経路は、前記給送ローラー及び前記メインボードを備える第１ユニットと、前記第１ユニットと対向配置される第２ユニットと、の間で形成され、前記第１ユニットは、前記第１ユニットの下に位置する支持部に対し、前記幅方向から視て回転可能に支持され、前記第１ユニットの外郭を構成する筐体は、前記支持部と対向する位置に、前記第１ユニットの回転軌跡に沿うアーチ部を備え、前記メインボードが、前記アーチ部の内側に形成された空間に配置されていることを特徴とする。
【００２０】
本態様によれば、前記第１ユニットは、前記支持部によって回転可能に支持されているので、装置姿勢を変化させることができ、ユーザビリティを向上させることができる。  
前記第１ユニットの外郭を構成する筐体は、前記支持部と対向する位置に、前記第１ユニットの回転軌跡に沿うアーチ部を備え、前記メインボードが、前記アーチ部の内側に形成された空間に配置されているので、筐体内空間を有効利用することで装置の大型化を抑制できる。
【００２１】
第９の態様は、第８の態様において、前記メインボードは、前記原稿搬送経路と交差する方向に突出する電子部品のうち最も突出量の多い電子部品が、前記アーチ部と対向配置されていることを特徴とする。
【００２２】
本態様によれば、前記メインボードは、前記原稿搬送経路と交差する方向に突出する電子部品のうち最も突出量の多い電子部品が、前記アーチ部と対向配置されているので、筐体内空間を有効利用することで装置の大型化を抑制できる。
【００２３】
第１０の態様は、第１から第９の態様のいずれかにおいて、前記給送ローラーとの間で原稿をニップして分離を行う分離ローラーと、前記分離ローラーの動力源である分離ローラー駆動モーターと、を備え、前記幅方向から視て、前記原稿搬送経路に平行な直線であって前記原稿搬送経路から離間した位置で前記分離ローラーに接する分離ローラー接線が、前記分離ローラー駆動モーターに交差することを特徴とする。  
本態様によれば、前記分離ローラーと、前記分離ローラー駆動モーターを備える構成において、前記分離ローラー接線が、前記分離ローラー駆動モーターに交差するので、前記原稿搬送経路と交差する方向の装置寸法を抑制できる。  
以下、本発明を具体的に説明する。
【００２４】
以下、画像読取装置の一例として、原稿の表面及び裏面のうち少なくとも一面を読み取り可能なスキャナー１を例に挙げる。スキャナー１は、読み取り手段に対して原稿を移動させつつ読み取りを行う、所謂ドキュメントスキャナーである。
【００２５】
尚、各図において示すＸ−Ｙ−Ｚ座標系は、Ｘ軸方向が装置幅方向であり原稿幅方向でもある。Ｙ軸方向は装置奥行き方向であり、水平方向に沿った方向である。Ｚ軸方向は鉛直方向に沿った方向である。またＶ軸方向は、後述する原稿搬送経路Ｔに平行な方向である。  
本実施形態では、＋Ｙ方向を装置背面から前面に向かう方向とし、−Ｙ方向を装置前面から背面に向かう方向とする。また、装置前面から見て左を＋Ｘ方向、右を−Ｘ方向とする。  
また、以下では原稿が搬送されていく方向（＋Ｖ方向）を「下流」といい、これと反対の方向（−Ｖ方向）を「上流」という場合がある。
【００２６】
スキャナー１は、図５において二点鎖線で示される、原稿が搬送される原稿搬送経路Ｔを有している。原稿搬送経路Ｔは、換言すれば、原稿の通過軌跡である。原稿搬送経路Ｔは、後述する第１ユニットとしての下部ユニット３と、第２ユニットとしての上部ユニット４との間に形成される、略直線状の原稿搬送経路である。
【００２７】
図１〜図４においてスキャナー１は、装置本体２と、装置本体２を回転可能に支持する支持台５とを備えている。  
装置本体２は、第１ユニットとしての下部ユニット３、及び第２ユニットとしての上部ユニット４を備えて構成されている。  
上部ユニット４は、下部ユニット３に対して不図示の回転軸を中心に回転することで開閉可能に設けられており、上部ユニット４を装置前方に開くことで原稿搬送経路Ｔを露呈させることができる。
【００２８】
装置本体２を構成する下部ユニット３は、支持台５を構成するアーム部５ａに対して回転軸５ｂを介して回転可能に設けられ、回転することにより姿勢変化可能に構成されている。  
下部ユニット３は図４に示す様に外郭が第１筐体２４と第２筐体２５とで構成されており、第２筐体２５は、下部ユニット３の回転軌跡に沿った形状となるアーチ部２５ａを有している。アーチ部２５ａにはラック部２５ｂが形成されており、このラック部２５ｂが、図５に示す様に支持台５に設けられたピニオン歯車２８と噛合している。  
ピニオン歯車２８には、不図示のダンパー機構によって回転負荷が付与されており、これにより下部ユニット３が回転する際の回転速度が減衰される様に構成されている。
【００２９】
本実施形態に係るスキャナー１は、不図示の姿勢保持手段によって３つの姿勢を保持可能に構成されており、３つの姿勢のうち２つは原稿読み取り時の姿勢であり、残る１つが非使用時の姿勢である。図１及び図２に示す姿勢は、原稿読み取り時の姿勢の一つであり、図３及び図４に示す姿勢は、非使用時の姿勢である。非使用時の姿勢では、スキャナー１の設置面への投影面積が最も小さくなり、より具体的にはＹ軸方向の占有スペースが最も小さくなる姿勢となる。原稿搬送経路Ｔは、図３及び図４に示す非使用時の姿勢において最も垂直に近くなる。  
尚、図４において符号２７は、不図示の姿勢保持手段によるスキャナー１の姿勢保持状態を解除する為の操作レバーである。
【００３０】
以下、スキャナー１の細部構成について更に説明する。上部ユニット４は前面カバー１９を備え、下部ユニット３は上面カバー１０を備えている。前面カバー１９は、上部ユニット４に対して回転可能に設けられており、回転することで、図１、図３、図４に示す様に閉じた状態と、図２、図５に示す様に開いた状態とを取り得る。前面カバー１９は、開くことで、図２及び図５に示す様に読み取りが行われて排出される原稿を受ける原稿受けトレイとして機能する。
【００３１】
上部ユニット４は、上面に、図２に示す様に各種読み取り設定や読み取り実行の操作を行い、また読み取り設定内容等を示す為のユーザインタフェース（ＵＩ）が実現される操作パネル７を備えている。操作パネル７は、本実施形態では表示と入力の双方が行える所謂タッチパネルであり、各種操作を行う為の操作部と、各種情報を表示する為の表示部とを兼ねる。操作パネル７は、前面カバー１９を開くことで露呈する。
【００３２】
下部ユニット３に設けられた上面カバー１０は、下部ユニット３に対して回転可能に設けられており、回転することで、図１、図３、図４に示す様に閉じた状態と、図２、図５に示す様に開いた状態とを取り得る。上面カバー１０は、開くことで、図２及び図５に示す様に給送される原稿を支持する原稿支持トレイとして機能する。図２において符号１２ａ、１２ｂは、原稿のサイドエッジをガイドするエッジガイドである。  
装置本体２の上部には装置本体２内部に連なる給送口６が設けられており、上面カバー１０に載置される原稿は、給送口６から装置本体２内部に向けて送られる。
【００３３】
次に、主として図５を参照して、スキャナー１における原稿搬送経路Ｔについて説明する。  
原稿搬送経路Ｔの最も上流には、上述した上面カバー１０が設けられており、上面カバー１０の下流側には、上面カバー１０に載置された原稿を下流に向けて送る給送ローラー１４と、給送ローラー１４との間で原稿をニップして分離する分離ローラー１５とが設けられている。給送ローラー１４は、上面カバー１０に載置された原稿のうち、最下位のものと接する。従って上面カバー１０に複数枚の原稿が載置された場合、最下位の原稿から順に下流に向けて給送される。
【００３４】
給送ローラー１４は、給送ローラー駆動モーター３８により回転駆動される。給送ローラー駆動モーター３８から回転トルクを得て、給送ローラー１４は図５において反時計回り方向に回転する。  
分離ローラー１５には、分離ローラー駆動モーター４０から、不図示のトルクリミッタを介して図５の反時計回り方向に回転する回転トルクが伝達される。
【００３５】
給送ローラー１４と分離ローラー１５との間に原稿が介在しない場合、或いは１枚のみ介在する場合、分離ローラー１５は、不図示のトルクリミッタにおいて滑りが生じることにより、分離ローラー駆動モーター４０から受ける回転トルクに拘わらず給送ローラー１４の回転に伴い図５の時計回り方向に従動回転する。  
給送ローラー１４と分離ローラー１５との間に、給送されるべき原稿に加えて更に２枚目以降の原稿が入り込むと、原稿間で滑りが生じることにより、分離ローラー１５は分離ローラー駆動モーター４０から受ける回転トルクによって図５の反時計回り方向に回転する。これにより、原稿の重送が防止される。
【００３６】
給送ローラー１４の下流には、第１送りローラー対としての搬送ローラー対１６と、原稿画像を読み取る読み取り手段としての読取部２０と、第２送りローラー対としての排出ローラー対１７とが設けられている。搬送ローラー対１６は、送りローラー対駆動モーター３０により回転駆動される搬送駆動ローラー１６ａと、従動回転する搬送従動ローラー１６ｂとを備えて成る。  
給送ローラー１４及び分離ローラー１５によりニップされて下流に給送された原稿は搬送ローラー対１６にニップされて、搬送ローラー対１６の下流に位置する上部センサーユニット２０Ａ及び下部センサーユニット２０Ｂと対向する位置に搬送される。
【００３７】
読取部２０は、原稿搬送経路Ｔに対して上に位置し、上部ユニット４に設けられた上部センサーユニット２０Ａと、原稿搬送経路Ｔに対して下に位置し、下部ユニット３に設けられた下部センサーモユニット２０Ｂと、を備えている。上部センサーユニット２０Ａはセンサーモジュール２１Ａを有し、下部センサーユニット２０Ｂはセンサーモジュール２１Ｂを有している。本実施形態においてセンサーモジュール２１Ａ、２１Ｂは、密着型イメージセンサーモジュール（ＣＩＳＭ）である。  
原稿搬送経路Ｔに対して上に位置するセンサーモジュール２１Ａにより、原稿の上面が読み取られ、原稿搬送経路Ｔに対して下に位置するセンサーモジュール２１Ｂにより、原稿の下面が読み取られる。  
尚、上部センサーユニット２０Ａによる原稿読み取り面（不図示）及び下部センサーユニット２０Ｂによる原稿読み取り面（不図示）は、原稿搬送経路Ｔに対して平行な面を成している。
【００３８】
上部センサーユニット２０Ａは、下部センサーユニット２０Ｂが備えるセンサーモジュール２１Ｂと対向する位置に背景板２２Ａを備え、下部センサーユニット２０Ｂは、上部センサーユニット２０Ａが備えるセンサーモジュール２１Ａと対向する位置に背景板２２Ｂを備えている。  
背景板２２Ａ、２２Ｂは、シェーディング補正の為に、対向するセンサーモジュールにより読み取られる基準板で、例えば白色、灰色、黒色等の樹脂板または白色、灰色、黒色等に塗装された金属板等を用いることができる。
【００３９】
背景板２２Ａ、２２Ｂは、背景板駆動モーター３９の動力により回転可能に設けられ、回転することにより、実線で示す様に対向するセンサーモジュールと対面する対面状態と、二点鎖線で示す様に前記対面状態を解消する非対面状態とを切り換えることができる。背景板２２Ａ、２２Ｂは、一例として白色を成しており、前記対面状態では白色基準値を取得することができ、前記非対面状態では黒色基準値を取得することができる。
【００４０】
原稿は、読取部２０において原稿の上面及び下面の少なくとも一方の面の画像を読み取られた後、読取部２０の下流側に位置する排出ローラー対１７にニップされて、排出口１８から排出される。  
排出ローラー対１７は、送りローラー対駆動モーター３０により回転駆動される排出駆動ローラー１７ａと、従動回転する排出従動ローラー１７ｂとを備えて成る。
【００４１】
送りローラー対駆動モーター３０から搬送駆動ローラー１６ａ及び排出駆動ローラー１７ａへは、図６に示す駆動力伝達手段により駆動力が伝達される。図６において符号１６ｃは、搬送駆動ローラー１６ａが取り付けられる駆動ローラー軸であり、符号１７ｃは、排出駆動ローラー１７ａが取り付けられる駆動ローラー軸である。
【００４２】
送りローラー対駆動モーター３０の出力軸には駆動プーリー３１が取り付けられ、駆動ローラー軸１６ｃの軸端には従動プーリー３２が取り付けられ、駆動ローラー軸１７ｃの軸端には従動プーリー３３が取り付けられている。また、駆動プーリー３１の近傍には従動プーリー３４が設けられている。そして駆動プーリー３１、従動プーリー３２、従動プーリー３３、従動プーリー３４、のこれらには、駆動ベルト３６が掛け回されており、この駆動ベルト３６を介して送りローラー対駆動モーター３０の駆動力が駆動ローラー軸１６ｃ、１７ｃに伝達される。  
尚、符号３５は駆動ベルト３６にテンションを付与するテンション付与プーリーである。
【００４３】
以上の様に駆動ベルト３６を介して送りローラー対駆動モーター３０の駆動力が駆動ローラー軸１６ｃ、１７ｃに伝達される構成であるので、例えば歯車を介して駆動力を伝達する構成に比して静音化を実現できる。また、搬送駆動ローラー１６ａ及び排出駆動ローラー１７ａが、１つの駆動ベルト３６によって駆動されるため、原稿後端が搬送ローラー対１６を抜ける際の搬送乱れを抑制でき、適切な読み取り画像を取得できる。
【００４４】
続いて、図５、図７、図８を参照しつつ、メインボード４１等の配置について説明する。  
本実施形態に係るスキャナー１は、電子部品が搭載されたメインボード４１を備えている。メインボード４１は、スキャナー１の各種制御を行う制御手段を構成する。このメインボード４１は、Ｘ軸方向つまり原稿搬送方向と交差する方向である幅方向から視て、図８に示す様に原稿搬送経路Ｔと、原稿搬送経路Ｔに平行な直線であって原稿搬送経路Ｔから離間した位置で給送ローラー１４に接する給送ローラー接線Ｌ２と、の間の領域内に配置されている。
【００４５】
メインボード４１はスキャナー１において占有面積が大きい部類に属するパーツであり、装置の大型化を招く要因となるが、上記の様にメインボード４１は原稿搬送経路Ｔと給送ローラー１４に接する給送ローラー接線Ｌ２と、の間の領域内に配置されていることから、原稿搬送経路Ｔと交差する方向、より具体的には原稿搬送経路Ｔと直交する方向の装置寸法を抑制できる。
【００４６】
特に、図８はスキャナー１が非使用時にある状態を示しており、原稿搬送経路Ｔはスキャナー１が非使用時の状態で最も垂直に近くなるため、上記の様にメインボード４１が原稿搬送経路Ｔと給送ローラー接線Ｌ２と、の間の領域内に配置されることで、非使用時のＹ軸方向の装置寸法を効果的に抑制でき、非使用時におけるＹ軸方向の装置の占有スペースを効果的に抑制することができる。  
尚、メインボード４１は、幅方向から視て原稿搬送経路Ｔと給送ローラー接線Ｌ２との間の領域内に完全に収まる形態に限られず、原稿搬送経路Ｔ及び給送ローラー接線Ｌ２の双方と交差していても良いし、或いはいずれか一方のみと交差していても良い。
【００４７】
またメインボード４１は、幅方向から視て、原稿搬送経路Ｔに沿った姿勢で設けられているので、原稿搬送経路Ｔと交差する方向の装置寸法をより一層効果的に抑制できる。
【００４８】
また幅方向から視て、給送ローラー接線Ｌ２が、給送ローラー駆動モーター３８と交差する構成であるので、給送ローラー駆動モーター３８を備える構成において装置の大型化を抑制できる。  
また幅方向から視て、給送ローラー接線Ｌ２が、送りローラー対駆動モーター３０と交差するので、送りローラー対駆動モーター３０を備えた構成において装置の大型化を抑制できる。
【００４９】
また本実施形態ではメインボード４１及びメインボード４１に搭載された電子部品が、幅方向から視て、原稿搬送経路Ｔに平行な直線であって送りローラー対駆動モーター３０と接する第１モーター接線Ｌ３と、原稿搬送経路Ｔに平行な直線であって第１モーター接線Ｌ３より原稿搬送経路Ｔから遠い位置で送りローラー対駆動モーター３０と接する第２モーター接線Ｌ１とで挟まれた領域に収まっている。符号４２は、メインボード４１に搭載された電子部品のうち、メインボード４１からの突出量が最も多い電子部品を示している。  
この様にメインボード４１及びメインボード４１に搭載された電子部品が、幅方向から視て、第１モーター接線Ｌ３と第２モーター接線Ｌ１とで挟まれた領域に収まっているので、原稿搬送経路Ｔと交差する方向の装置寸法を抑制できる。  
但し幅方向から視て電子部品４２が、第２モーター接線Ｌ１と交差する様に配置されていても良い。
【００５０】
また本実施形態では給送ローラー駆動モーター３８が、幅方向から視て第１モーター接線Ｌ３と、第２モーター接線Ｌ１と、で挟まれた領域に収まっているので、このことによっても原稿搬送経路Ｔと交差する方向の装置寸法を抑制できる。
【００５１】
また本実施形態では、幅方向から視て背景板駆動モーター３９が、第１モーター接線Ｌ３と、第２モーター接線Ｌ１とで挟まれた領域に収まっているので、このことによっても原稿搬送経路Ｔと交差する方向の装置寸法を抑制できる。  
また本実施形態では、幅方向から視て、原稿搬送経路Ｔと交差する方向において給送ローラー駆動モーター３８及び背景板駆動モーター３９は送りローラー対駆動モーター３０の占有領域内に収まっており、その上で更にメインボード４１が背景板駆動モーター３９の占有領域内に収まっていることから、このことによっても原稿搬送経路Ｔと交差する方向の装置寸法を抑制できる。
【００５２】
また本実施形態では、下部ユニット３の外郭を構成する第２筐体２５（図４参照）が、支持台５と対向する位置に、下部ユニット３の回転軌跡に沿うアーチ部２５ａを備え、メインボード４１が、アーチ部２５ａの内側に形成された空間２５ｄに配置された状態となっている。このことにより、筐体内空間を有効利用することができ、装置の大型化を抑制できる。
【００５３】
特にメインボード４１において、原稿搬送経路Ｔと交差する方向に突出する電子部品のうち最も突出量の多い電子部品４２が、アーチ部２５ａと対向配置されているので、筐体内空間を有効利用することで装置の大型化を抑制できる。
【００５４】
また本実施形態では、幅方向から視て、原稿搬送経路Ｔに平行な直線であって原稿搬送経路Ｔから離間した位置で分離ローラー１５に接する分離ローラー接線Ｌ４が、分離ローラー駆動モーター４０に交差するので、原稿搬送経路Ｔと交差する方向の装置寸法を抑制できる。
【００５５】
尚、メインボード４１には、図７に示す様に切り欠き部４１ａが形成されており、送りローラー対駆動モーター３０が、切り欠き部４１ａに入り込む様に配置されている。これにより、Ｘ軸方向の装置寸法が抑制されている。  
また本実施形態において下部センサーユニット２０Ｂと、背景板駆動モーター３９とは、Ｘ軸方向及びＶ軸方向でオーバーラップしている。
【００５６】
また本実施形態において上部ユニット４は、図８に示す様に電子部品を備えるサブボード４３を備えている。サブボード４３は、幅方向から視て原稿搬送経路Ｔと平行な直線であって分離ローラー駆動モーター４０に接するモーター接線Ｌ５と、分離ローラー接線Ｌ４との間の領域内に配置されていることから原稿搬送経路Ｔと交差する方向の装置寸法を抑制できる。  
またサブボード４３は、幅方向から視て、原稿搬送経路Ｔに沿った姿勢で設けられているので、原稿搬送経路Ｔと交差する方向の装置寸法をより一層効果的に抑制できる。
【００５７】
本発明は上記において説明した実施形態に限定されることなく、特許請求の範囲に記載した発明の範囲内で、種々の変形が可能であり、それらも本発明の範囲内に含まれるものであることは言うまでもない。
【符号の説明】
【００５８】
１…スキャナー、２…装置本体、３…下部ユニット、４…上部ユニット、５…支持台、５ａ…アーム部、５ｂ…回転軸、６…給送口、７…操作パネル、１０…上面カバー、１２ａ、１２ｂ…エッジガイド、１４…給送ローラー、１５…分離ローラー、１６…搬送ローラー対、１６ａ…搬送駆動ローラー、１６ｂ…搬送従動ローラー、１６ｃ…駆動ローラー軸、
１７…排出ローラー対、１７ａ…排出駆動ローラー、１７ｂ…排出従動ローラー、１７ｃ…駆動ローラー軸、１８…排出口、１９…前面カバー、２０…読取部、２０Ａ…上部センサーユニット、２０Ｂ…下部センサーユニット、２１Ａ、２１Ｂ…センサーモジュール、
２２Ａ、２２Ｂ…背景板、２４…第１筐体、２５…第２筐体、２５ａ…アーチ部、２５ｂ…ラック部、２５ｄ…空間、２７…操作レバー、２８…ピニオン歯車、３０…送りローラー対駆動モーター、３１…駆動プーリー、３２…従動プーリー、３３…従動プーリー、３４…従動プーリー、３５…テンション付与プーリー、３６…駆動ベルト、３８…給送ローラー駆動モーター、３９…背景板駆動モーター、４０…分離ローラー駆動モーター、４１…メインボード、４１ａ…切り欠き部、４２…電子部品、４３…サブボード
【図１】
2020191612.tif 000003
【図２】
2020191612.tif 000004
【図３】
2020191612.tif 000005
【図４】
2020191612.tif 000006
【図５】
2020191612.tif 000007
【図６】
2020191612.tif 000008
【図７】
2020191612.tif 000009
【図８】
2020191612.tif 000010